(57)【要約】【課題】停電時でも出水口での出水が可能となる出水口キャップ及び飲料水供給装置を提供する。【解決手段】飲料水供給装置１００は、飲料水タンク１０１から出水口１０３までの水路１０５を電気的に開閉し、かつ非通電状態で水路１０５を閉じる開閉弁１１３を有し、出水口が開閉弁１１３の開閉方向に設けられている。出水口キャップ１は、出水口１０３に着脱可能に構成された筒状の筐体１０と、筐体１０の開閉方向の両端部のうちの開方向側に設けられ、かつ筐体１０が出水口１０３に装着された筐体装着状態で出水口１０３と連通して開口する入水開口部２０と、入水開口部２０から開方向側に突出し、筐体装着状態において、先端が閉位置の開閉弁１１３を開方向に押し開く突出部３０Ａと、筐体１０の開閉方向の両端部のうちの閉方向側に設けられ、かつ入水開口部２０と連通して開口する出水開口部４０とを備える。【選択図】図１
2019131296.tif 000002
【特許請求の範囲】
【請求項１】
飲料水タンクから出水口までの水路を電気的に開閉し、かつ非通電状態で前記水路を閉じる開閉弁を有し、前記出水口が前記開閉弁の開閉方向に設けられた飲料水供給装置の出水口キャップであって、
前記出水口に着脱可能に構成された筒状の筐体と、
前記筐体の前記開閉方向の両端部のうちの開方向側に設けられ、かつ前記筐体が前記出水口に装着された筐体装着状態で前記出水口と連通して開口する入水開口部と、
前記入水開口部から前記開方向側に突出し、前記筐体装着状態において、先端が閉位置の前記開閉弁を前記開方向に押し開く突出部と、
前記筐体の前記開閉方向の両端部のうちの閉方向側に設けられ、かつ前記入水開口部と連通して開口する出水開口部と、
を備えることを特徴とする出水口キャップ。
【請求項２】
前記入水開口部と前記出水開口部との間を連通する水路を開閉する開閉部をさらに有する、
請求項１に記載の出水口キャップ。
【請求項３】
前記突出部は、
前記開閉方向の両端部のうちの前記開方向側に設けられ、かつ前記入水開口部と連通して開口する入水孔と、
前記開閉方向の両端部のうちの前記閉方向側に設けられ、かつ前記入水孔と連通して開口する出水孔と、
を有する請求項１または２に記載の出水口キャップ。
【請求項４】
請求項１〜３のいずれか１項に記載の出水口キャップを備えることを特徴とする飲料水供給装置。
【請求項５】
常温水を貯留する常温水タンクと前記出水口とを連通し、前記常温水タンクから前記出水口に常温水を流す常温水路と、
冷水を貯留する冷水タンクと前記出水口とを連通し、前記冷水タンクから前記出水口に冷水を流す冷水路と、
温水を貯留する温水タンクと前記出水口とを連通し、前記温水タンクから前記出水口に温水を流す温水路と、
前記出水口の上流側に設けられ、前記常温水路、前記冷水路、及び前記温水路が合流する合流点と、
前記常温水タンクと前記合流点との間の前記常温水路上に設けられ、前記常温水路を開閉する常温水用開閉弁と、
前記冷水タンクと前記合流点との間の前記冷水路上に設けられ、前記冷水路を開閉する冷水用開閉弁と、
前記温水タンクと前記合流点との間の前記温水路上に設けられ、前記温水路を開閉する温水用開閉弁と、
を備え、
前記出水口キャップは、前記筐体装着状態において、前記突出部が前記合流点を介して前記常温水用開閉弁または前記冷水用開閉弁を開方向に押し開く
請求項４に記載の飲料水供給装置。
【発明の詳細な説明】
【技術分野】
【０００１】
本発明は、出水口キャップ及び飲料水供給装置に関する。
【背景技術】
【０００２】
飲料水供給装置の一例として、ウォーターサーバがある。ウォーターサーバは、飲料水タンクに貯留された飲料水を、利用者の操作に応じて出水口から出水するものである。このようなウォーターサーバには、飲料水タンクと出水口との間をつなぐ水路に電磁弁が設けられ、当該電磁弁が開閉することにより、飲料水が出水口から出水するものがある（例えば、特許文献１参照）。
【０００３】
また、特許文献２では、弁体に連なるプランジャを電磁力によって作動させて、弁体を弁口から離間さえた開弁状態と、弁体を弁口に当接させた閉弁状態との間で移動させることで弁の開閉を行うように構成された電磁弁が開示されている。
【先行技術文献】
【特許文献】
【０００４】
【特許文献１】特開２０１５−１２９５４１号公報
【特許文献２】特開２０１７−２６０１２号公報
【発明の概要】
【発明が解決しようとする課題】
【０００５】
電磁弁で水路を開閉するウォーターサーバでは、例えば、地震等の災害により停電が生じた場合、電磁弁を開弁できないことから、飲料水タンク内に飲料水があるにも関わらず、当該飲料水を利用することができない場合がある。また、水路上の電磁弁の手前に水抜き栓を設け、当該水抜き栓を外すことで出水するものも存在するが、飲用を想定したものではないことから、出水がしにくく、水抜き栓の緩み等により水漏れが発生するおそれがある。
【０００６】
本発明は、上記課題に鑑みてなされたものであって、停電時でも出水口での出水が可能となる出水口キャップ及び飲料水供給装置を提供することを目的とする。
【課題を解決するための手段】
【０００７】
上記目的を達成するために、本発明に係る出水口キャップは、飲料水タンクから出水口までの水路を電気的に開閉し、かつ非通電状態で前記水路を閉じる開閉弁を有し、前記出水口が前記開閉弁の開閉方向に設けられた飲料水供給装置の出水口キャップであって、前記出水口に着脱可能に構成された筒状の筐体と、前記筐体の前記開閉方向の両端部のうちの開方向側に設けられ、かつ前記筐体が前記出水口に装着された筐体装着状態で前記出水口と連通して開口する入水開口部と、前記入水開口部から前記開方向側に突出し、前記筐体装着状態において、先端が閉位置の前記開閉弁を前記開方向に押し開く突出部と、前記筐体の前記開閉方向の両端部のうちの閉方向側に設けられ、かつ前記入水開口部と連通して開口する出水開口部と、を備えることを特徴とする。
【０００８】
また、上記出水口キャップにおいて、前記入水開口部と前記出水開口部との間を連通する水路を開閉する開閉部をさらに有するものである。
【０００９】
また、上記出水口キャップにおいて、前記突出部は、前記開閉方向の両端部のうちの前記開方向側に設けられ、かつ前記入水開口部と連通して開口する入水孔と、前記開閉方向の両端部のうちの前記閉方向側に設けられ、かつ前記入水孔と連通して開口する出水孔と、を有するものである。
【００１０】
上記目的を達成するために、本発明に係る飲料水供給装置は、請求項１〜３のいずれか１項に記載の出水口キャップを備えることを特徴とする。
【００１１】
また、上記飲料水供給装置において、常温水を貯留する常温水タンクと前記出水口とを連通し、前記常温水タンクから前記出水口に常温水を流す常温水路と、冷水を貯留する冷水タンクと前記出水口とを連通し、前記冷水タンクから前記出水口に冷水を流す冷水路と、温水を貯留する温水タンクと前記出水口とを連通し、前記温水タンクから前記出水口に温水を流す温水路と、前記出水口の上流側に設けられ、前記常温水路、前記冷水路、及び前記温水路が合流する合流点と、前記常温水タンクと前記合流点との間の前記常温水路上に設けられ、前記常温水路を開閉する常温水用開閉弁と、前記冷水タンクと前記合流点との間の前記冷水路上に設けられ、前記冷水路を開閉する冷水用開閉弁と、前記温水タンクと前記合流点との間の前記温水路上に設けられ、前記温水路を開閉する温水用開閉弁と、を備え、前記出水口キャップは、前記筐体装着状態において、前記突出部が前記合流点を介して前記常温水用開閉弁または前記冷水用開閉弁を開方向に押し開くものである。
【発明の効果】
【００１２】
本発明に係る出水口キャップ及び飲料水供給装置によれば、停電時でも出水口での出水が可能となるという効果を奏する。
【図面の簡単な説明】
【００１３】
【図１】図１は、実施形態に係る出水口キャップを含む飲料水供給装置の概略構成を示す模式図である。
【図２】図２は、出水口キャップの概略構成を示す斜視図である。
【図３】図３は、出水口キャップの概略構成を示す他の斜視図である。
【図４】図４は、出水口キャップの概略構成を示す縦断面図である。
【図５】図５は、非通電状態で閉弁時の電磁弁と飲料水の状態を示す模式図である。
【図６】図６は、通電状態で開弁時の電磁弁と飲料水の状態を示す模式図である。
【図７】図７は、出水口に出水口キャップを装着するときの電磁弁と飲料水の状態を示す模式図である。
【図８】図８は、筐体装着状態における電磁弁と飲料水の状態を示す模式図である。
【図９】図９は、変形例に係る突出部の概略構成を示す斜視図である。
【図１０】図１０は、変形例１に係る出水口キャップの概略構成を示す模式図である。
【図１１】図１１は、変形例２に係る飲料水供給装置の概略構成を示す模式図である。
【発明を実施するための形態】
【００１４】
以下に、本発明に係る実施形態を図面を参照しつつ詳細に説明する。なお、下記実施形態により本発明が限定されるものではない。また、下記実施形態における構成要素には、当業者が容易に想定できるもの、あるいは実質的に同一のものが含まれる。また、下記実施形態における構成要素は、発明の要旨を逸脱しない範囲で、種々の省略、置き換え、変更を行うことができる。
【００１５】
［実施形態］
本実施形態に係る飲料水供給装置１００を図１〜図８を参照して説明する。飲料水供給装置１００は、例えば、飲料水１０２を所定の温度に加熱または冷却し、あるいは常温のまま供給するウォーターサーバである。飲料水供給装置１００は、図１に示すように、出水口キャップ１と、装置本体２とを備える。出水口キャップ１は、例えば、飲料水供給装置１００の出水口１０３に装着されるものである。装置本体２は、主に、飲料水タンク１０１と、出水口１０３と、水路１０５と、電磁弁１０７とを含んで構成される。なお、図２〜図８（図１０を含む）に示す開閉方向は、飲料水供給装置１００における電磁弁１０７の開閉方向であり、出水口１０３に対する出水口キャップ１の装着方向に沿った方向に相当する。この開閉方向において、電磁弁１０７が開く方向を開方向、電磁弁１０７が閉じる方向を閉方向と呼ぶ場合がある。
【００１６】
飲料水タンク１０１は、例えば、常温水タンク１０１Ａと、冷水タンク１０１Ｂと、温水タンク１０１Ｃとで構成される。
【００１７】
常温水タンク１０１Ａは、常温水を貯留するものである。常温水は、常温の飲料水１０２である。常温は、飲料水供給装置１００が設置された環境の温度であり、例えば室内温度である。常温水タンク１０１Ａは、内部に飲料水１０２が充填された状態で、装置本体２の上部に配置されるものであり、装置本体２に保持または収容される。常温水タンク１０１Ａは、例えば、交換用の給水容器として、着脱可能に構成されていてもよい。常温水タンク１０１Ａは、飲料水供給装置１００の上下方向のうちの上方向側に配置されており、冷水タンク１０１Ｂと連通している。ここで、図１に示す飲料水供給装置１００の上下方向とは、電磁弁１０７の開閉方向に相当する。
【００１８】
冷水タンク１０１Ｂは、常温水タンク１０１Ａから供給される飲料水１０２を冷却し、冷水として貯留するものである。冷水タンク１０１Ｂは、装置本体２の中部に配置されるものであり、装置本体２に保持または収容される。冷水タンク１０１Ｂは、内部に貯留する飲料水１０２を常温水層と冷水層とに分けて貯留する。冷水タンク１０１Ｂは、例えば、断熱性を有する容器で形成されており、不図示の冷却装置を有する。冷却装置は、貯留された飲料水１０２を、例えば熱交換器等により冷却する。冷水タンク１０１Ｂには、内部に溜まった飲料水を外部に排出するドレインＤが設けられている。ドレインＤを開栓することで冷水タンク１０１Ｂ内に溜まった飲料水を排水することができる。
【００１９】
温水タンク１０１Ｃは、冷水タンク１０１Ｂから供給される飲料水１０２を加熱し、温水として貯留するものである。温水タンク１０１Ｃは、装置本体２の下部に配置されるものであり、装置本体２に保持または収容される。温水タンク１０１Ｃには、冷水タンク１０１Ｂ内の常温水層に溜まった常温水が流入する。温水タンク１０１Ｃは、例えば、断熱性を有する容器で形成されており、不図示の加熱ヒータを有する。加熱ヒータは、貯留された飲料水１０２を加熱する。温水タンク１０１Ｃは、飲料水供給装置１００の下方向側に配置されており、冷水タンク１０１Ｂと連通している。温水タンク１０１Ｃには、冷水タンク１０１Ｂと同様に、ドレインＤが設けられている。このドレインＤを開栓することで温水タンク１０１Ｃ内に溜まった飲料水を排水することができる。
【００２０】
水路１０５は、例えば、常温水路１０５Ａと、冷水路１０５Ｂと、温水路１０５Ｃとで構成される。
【００２１】
常温水路１０５Ａは、冷水タンク１０１Ｂと出水口１０３とを連通し、冷水タンク１０１Ｂから出水口１０３に常温水を流す配管である。常温水路１０５Ａは、冷水タンク１０１Ｂ内に貯留する飲料水１０２のうち、上層側に滞留する常温水層から常温水を出水口１０３まで導くものである。
【００２２】
冷水路１０５Ｂは、常温水路１０５Ａと異なる位置で冷水タンク１０１Ｂと出水口１０３とを連通し、冷水タンク１０１Ｂから出水口１０３に冷水を流す配管である。常温水路１０５Ａは、冷水タンク１０１Ｂ内に貯留する飲料水１０２のうち、下層側に滞留する冷水層から冷水を出水口１０３まで導くものである。
【００２３】
温水路１０５Ｃは、温水タンク１０１Ｃと出水口１０３と連通し、温水タンク１０１Ｃから出水口１０３に温水を流す配管である。温水路１０５Ｃは、温水タンク１０１Ｃ内に貯留する温水を出水口１０３まで導くものである。
【００２４】
出水口１０３は、飲料水１０２を外部に出水する部分である。出水口１０３は、図２に示すように、筒状に形成され、飲料水供給装置１００の上下方向のうちの下方向に突出するように配置される。出水口１０３は、３つの水路１０５、すなわち常温水路１０５Ａ、冷水路１０５Ｂ、及び温水路１０５Ｃが合流する合流点１０６の下流側に設けられている。
【００２５】
電磁弁１０７は、飲料水タンク１０１から出水口１０３までの水路１０５を電気的に開閉するものである。電磁弁１０７は、主に、ソレノイドコイル１１１と、開閉弁１１３と、スプリング１１５とを含んで構成される。電磁弁１０７は、非通電状態において、スプリング１１５により開閉弁１１３を閉方向に付勢して、当該開閉弁１１３を閉位置に移動させ、通電状態において、不図示の電源からソレノイドコイル１１１に通電することによって周囲に磁束が生じ、開閉弁１１３を開方向に駆動して開位置に移動させる。電磁弁１０７は、不図示の操作部からの操作信号に応じて、非通電状態から通電状態に遷移し、開閉弁１１３を駆動して閉位置から開位置にする。電磁弁１０７は、常温水路１０５Ａ、冷水路１０５Ｂ、及び温水路１０５Ｃの各水路１０５上に設けられている。常温水用電磁弁１０７Ａは、常温水路１０５Ａを開閉するものである。冷水用電磁弁１０７Ｂは、冷水路１０５Ｂを開閉するものである。温水用電磁弁１０７Ｃは、温水路１０５Ｃを開閉するものである。すなわち、電磁弁１０７は、水路１０５を開閉し、出水口１０３からの飲料水１０２の出水を制御する。本実施形態における冷水用電磁弁１０７Ｂは、出水口１０３から温水路１０５Ｃを開方向に沿って配置されている。
【００２６】
出水口キャップ１は、図３及び図４に示すように、筐体１０と、入水開口部２０と、突出部３０Ａと、出水開口部４０と、水路５０とを含んで構成される。出水口キャップ１は、例えば合成樹脂等で成形されている。
【００２７】
筐体１０は、筒状に形成され、出水口１０３に着脱可能に構成される。筐体１０は、出水口キャップ１の出水口１０３への装着時において、手指で保持される部分である。筐体１０は、持ち手部１０ａと、係止部１１と、ノズル部１２と、ガイド部１３とを含んで構成される。持ち手部１０ａは、筐体１０の最外周面に複数形成されており、筐体１０の持ち手の一部となる部分である。持ち手部１０ａは、最外周面において、曲面が部分的に略平面に形成された部分である。係止部１１は、開閉方向の両端部のうちの開方向側に設けられている。係止部１１は、筐体１０の外周に設けられた切り欠きであり、出水口１０３側の外周に設けられた突起部１０３ａに係止される。ノズル部１２は、円筒状に形成され、筐体１０から閉方向に延在する。ガイド部１３は、突出部３０Ａに沿って筐体１０から開方向に向けて立設された外周壁である。ガイド部１３は、筐体１０が出水口１０３に装着された筐体装着状態で、その内周面が出水口１０３の外周面と対向するように形成される。ガイド部１３は、筐体装着状態で、突出部３０Ａが開閉弁１１３の中心を開方向に押し上げるべく設けられており、突出部３０Ａを中心として同心円上に形成されている。ガイド部１３には、係止部１１が形成されている。
【００２８】
入水開口部２０は、筐体１０の開閉方向の両端部のうちの開方向側に設けられ、かつ筐体装着状態で出水口１０３と連通して開口する部分である。入水開口部２０は、筐体装着状態において、水路５０の一部を形成する。
【００２９】
突出部３０Ａは、入水開口部２０から開方向側に突出し、筐体装着状態において、先端が閉位置の開閉弁１１３を開方向に押し開く部分である。本実施形態における突出部３０Ａは、筐体１０と別体に、中実の部材として成形されている。突出部３０Ａは、開閉方向に延在して柱状または棒状に形成されており、閉方向側の端部が筐体１０の内部に開方向から閉方向に向けて突き当てた状態で固定されている。突出部３０Ａは、出水口キャップ１の径方向の中心に位置するように、筐体１０に固定される。突出部３０Ａは、筐体装着状態で、出水口キャップ１内の水路５０の一部を形成する。
【００３０】
出水開口部４０は、筐体１０の開閉方向の両端部のうちの閉方向側に設けられ、かつ入水開口部２０と連通して開口する部分である。出水開口部４０は、筐体１０から閉方向に延在するノズル部１２の先端に形成されている。出水開口部４０は、飲料水１０２を外部に出水する部分である。
【００３１】
水路５０は、入水開口部２０から出水開口部４０に飲料水１０２を導く水路であり、開閉方向に沿って形成されている。水路５０は、筐体１０の内周面と突出部３０Ａの外周面との間の空間、ノズル部１２の内部空間で構成される。
【００３２】
次に、本実施形態に係る飲料水供給装置１００の出水動作について図５〜図８を参照して説明する。なお、本実施形態では、一例として、冷水用電磁弁１０７Ｂを開閉して飲料水１０２を出水させる場合について説明する。
【００３３】
飲料水供給装置１００は、図５に示すように、筐体１０が出水口１０３に装着されていない筐体非装着状態において、冷水用電磁弁１０７Ｂが非通電状態で開閉弁１１３が閉位置にある場合、冷水用電磁弁１０７Ｂの位置まで冷水路１０５Ｂを流れる飲料水１０２を出水口１０３から出水しない。
【００３４】
次に、飲料水供給装置１００は、図６に示すように、筐体非装着状態において、電磁弁１０７が通電状態で開閉弁１１３が開位置にある場合、冷水路１０５Ｂを流れる飲料水１０２が開閉弁１１３を介して出水口１０３から出水する。飲料水１０２は、自重で出水口１０３から閉方向に流れ落ちる。
【００３５】
飲料水供給装置１００において、例えば、停電等により給電が停止した場合、ユーザ（不図示）は、図７に示すように、出水口１０３に出水口キャップ１を装着する。ユーザは、出水口キャップ１を手に持ち、当該出水口キャップ１を出水口１０３に対して開方向に挿入する。ユーザは、出水口キャップ１を開閉方向を中心に捻りながら、係止部１１を、出水口１０３側の突起部１０３ａに係止する。このとき、出水口キャップ１は、突出部３０Ａの開方向側の先端が閉位置の開閉弁１１３を開方向に向けて押し開いていく。開閉弁１１３が開位置に移動すると、図８に示すように、冷水用電磁弁１０７Ｂの位置まで冷水路１０５Ｂを流れる飲料水１０２が、開閉弁１１３を介して出水口キャップ１内の水路５０を流れて、ノズル部１２の閉方向側の先端の出水開口部４０から出水する。このとき、飲料水１０２は、自重で出水口１０３から閉方向に流れ落ちる。
【００３６】
以上説明したように、本実施形態に係る出水口キャップ１及び飲料水供給装置１００は、出水口１０３と冷水用電磁弁１０７Ｂとの間の水路が合流点１０６を挟んで直線状に配置され、突出部３０Ａが筐体装着状態で閉位置の開閉弁１１３を開方向に押し開き、出水口１０３と連通する入水開口部２０を介して出水開口部４０から飲料水１０２を出水させる。これにより、電磁弁１０７が非通電状態で開閉弁１１３が閉位置にあっても、筐体装着状態で突出部３０Ａが開閉弁１１３を開方向に押し開くことができるので、例えば停電時であっても出水口１０３からの出水が可能となる。また、停電時等において、飲料水供給装置１００の内部でドレインＤを開栓したり、飲料水供給装置１００の内部を解体することで水を取り出すことなく、出水口１０３から出水が可能となるので、衛生的な飲料水の供給が可能となる。また、電池等の予備電源を利用することなく、飲料水１０２の出水が可能となり、緊急時の即応性を向上させることが容易となる。また、出水口キャップ１の筐体１０が出水口１０３に着脱可能に構成されているので、出水口キャップ１を飲料水供給装置１００から取り外して管理することができ、例えば、子供のいたずらや誤操作による出水を防止することが可能となる。また、出水口キャップ１は、筐体装着状態において、突出部３０Ａが合流点１０６を介して冷水用電磁弁１０７Ｂを開方向に押し開く。これにより、出水口１０３に装着された出水口キャップ１から温水が出ることがないので、利用者が出水口キャップ１から流れ出る温水を予期できず、思わぬトラブルになることを防止することができる。また、常温水または温水が電磁弁１０７から合流点１０６を介して出水口キャップ１に向けて出水する場合に比べて、冷水が冷水用電磁弁１０７Ｂから出水口キャップ１に向けて、水路の屈曲部を介することなく直線状に流れる。この結果、出水口キャップ１から出水する冷水の流量低下を抑制することができる。
【００３７】
［変形例１］
上記実施形態では、突出部３０Ａは、中実の部材として成形されているが、これに限定されるものではなく、図９に示す突出部３０Ｂのように、中空の部材として成形されていてもよい。突出部３０Ｂは、内部空間部３１と、複数の入水孔３３と、複数の出水孔３５ａ，３５ｂとを有する。内部空間部３１は、突出部３０Ｂに内部にあって延在方向（開閉方向）に延在して形成されている。内部空間部３１は、複数の入水孔３３及び複数の出水孔３５ａ，３５ｂと連通している。入水孔３３は、開閉方向の両端部のうちの開方向側に設けられ、かつ入水開口部２０と連通して開口する。出水孔３５ａは、開閉方向の両端部のうちの閉方向側に設けられ、かつ内部空間部３１を介して入水孔３３と連通して開口する。出水孔３５ｂは、開閉方向の両端部のうちの閉方向の端部に設けられ、かつ内部空間部３１を介して入水孔３３と連通して開口する。なお、入水孔３３及び出水孔３５ａ，３５ｂは、突出部３０Ｂの外周面に複数形成されているが、図示の数、形状、位置に限定されるものではない。
【００３８】
次に、本実施形態の変形例１に係る飲料水供給装置１００の出水動作について図１０を参照して説明する。変形例１に係る飲料水供給装置１００では、冷水用電磁弁１０７Ｂの位置まで冷水路１０５Ｂを流れる飲料水１０２が、出水口キャップ１内の水路５０だけでなく、突出部３０Ｂの内部空間部３１をも流れる。飲料水１０２は、入水孔３３から内部空間部３１に流れ込み、内部空間部３１を経由して出水孔３５ａ，３５ｂから再び水路５０に流れ出る。これにより、突出部３０Ｂで開閉弁１１３を安定的に押し上げながら、飲料水１０２が流れる空間を確保することができ、出水開口部４０から飲料水１０２の出水量を増やすことができる。
【００３９】
本実施形態の変形例１に係る出水口キャップ１及び飲料水供給装置１００は、突出部３０Ｂが、開方向側に設けられ、入水開口部２０と連通して開口する入水孔３３と、閉方向側に設けられ、入水孔３３と連通して開口する出水孔３５ａ，３５ｂとを有する。これにより、飲料水１０２が突出部３０Ｂの内部を流れるので、飲料水１０２の出水量を増やすことが可能となる。
【００４０】
なお、上記変形例１では、飲料水１０２を、筐体１０内の水路５０、及び、突出部３０Ｂの内部空間部３１を流すように構成されているが、これに限定されるものではない。例えば、筐体１０内に水路５０を形成することなく、突出部３０Ｂの内部空間部３１にのみ飲料水１０２を流すように構成してもよい。
【００４１】
上記実施形態及び変形例１では、出水口キャップ１は、手動開閉する開閉弁を有する構成であってもよい。出水口キャップ１は、筐体装着状態では、冷水タンク１０１Ｂに飲料水１０２が残留している限り、出水開口部４０から出水する。出水開口部４０からの出水を停止させるためには、筐体１０を出水口１０３から取り外さなればならないが、着脱作業が面倒である。そこで、例えば、ノズル部１２の開閉方向に中間点に手動開閉が可能なボールバルブ等を設けることで、着脱作業を行うことなく、出水開口部４０からの出水を制御することができる。本実施形態の変形例１に係る出水口キャップ１及び飲料水供給装置１００は、入水開口部２０と出水開口部４０との間を連通する水路５０を開閉する開閉部をさらに有するので、着脱作業を行うことなく、出水開口部４０からの出水を制御することができる。
【００４２】
また、上記実施形態及び変形例１では、飲料水供給装置１００は、飲料水を供給する装置であるが、飲料水以外の飲料であってもよい。
【００４３】
また、上記実施形態及び変形例１では、３つの水路１０５Ａ，１０５Ｂ，１０５Ｃに対して１つの出水口１０３を設けているが、これに限定されず、各水路１０５Ａ〜１０５Ｃに出水口１０３をそれぞれ設けてもよい。この場合、水路１０５Ａ，１０５Ｃに対応する２つの出水口１０３はいずれも、水路１０５Ｂに対応する出水口１０３と同様に、電磁弁１０７Ａ，１０７Ｃの各開閉弁１１３の開閉方向に設けられており、出水口キャップ１の着脱が可能に構成されている。これにより、冷水タンク１０１Ｂだけでなく、常温水タンク１０１Ａ及び温水タンク１０１Ｃに貯留している飲料水１０２を、出水口キャップ１を利用して出水させることが可能となる。
【００４４】
また、上記実施形態及び変形例１では、出水口キャップ１は、筐体１０と、突出部３０Ａ，３０Ｂとが別体で構成されているが、これに限定されず、一体で構成されていてもよい。
【００４５】
また、上記実施形態及び変形例１では、出水口キャップ１は、係止部１１により出水口１０３に係止される構造としているが、これに限定されるものではなく、例えば、出水口キャップ１のガイド部１３の内周面と出水口１０３の外周面とにそれぞれネジ山を設ける構成であってもよい。この場合、出水口１０３に出水口キャップ１をねじ込んでいくことで、筐体装着状態が可能となり、出水口１０３と出水口キャップ１とをより安定して固定させることができる。また、ねじ込む加減を調整することで、突出部３０Ａ，３０Ｂが開閉弁１１３を押し開く度合いを微調整することが可能となり、出水開口部４０から出水量を容易に調整することが可能となる。
【００４６】
上記実施形態及び変形例１では、飲料水供給装置１００は、出水口キャップ１を出水口１０３に装着することで冷水用電磁弁１０７Ｂが開き、冷水タンク１０１Ｂ内の冷水が冷水路１０５Ｂを介して出水口キャップ１から出水する構成であるが、これに限定されるものではない。例えば、変形例２に係る飲料水供給装置１００は、図１１に示すように、出水口１０３の真上方向に常温水用電磁弁１０７Ａ及び常温水路１０５Ａが配置された装置本体２Ａを備える構成であってもよい。例えば、変形例２に係る装置本体２Ａは、図１に示す実施形態と異なり、配管が飲料水供給装置１００に向かって左から温水路１０５Ｃ、常温水路１０５Ａ、冷水路１０５Ｂの順に配置され、これに合わせて電磁弁１０７が左から温水用、常温水用、冷水用の順に配置される。装置本体２Ａでは、出水口１０３に出水口キャップ１を装着することで常温水用電磁弁１０７Ａが開いて常温水路１０５Ａを流れる常温水が出水口キャップ１から出水する。
【００４７】
このように、変形例２に係る飲料水供給装置１００では、出水口１０３と常温水用電磁弁１０７Ａとの間の水路が合流点１０６を挟んで直線状に配置され、出水口キャップ１が、筐体装着状態において、突出部３０Ａ，３０Ｂが合流点１０６を介して常温水用電磁弁１０７Ａを開方向に押し開く。これにより、出水口１０３に装着された出水口キャップ１から温水が出ることがないので、利用者が出水口キャップ１から流れ出る温水を予期できず、思わぬトラブルになることを防止することができる。また、冷水または温水が電磁弁１０７から合流点１０６を介して出水口キャップ１に向けて出水する場合に比べて、常温水が常温水用電磁弁１０７Ａから出水口キャップ１に向けて、水路の屈曲部を介することなく直線状に流れる。この結果、出水口キャップ１から出水する常温水の流量低下を抑制することができる。
【符号の説明】
【００４８】
１  出水口キャップ
２  装置本体
１０  筐体
１２  ノズル部
１３  ガイド部
２０  入水開口部
３０Ａ，３０Ｂ  突出部
３１  内部空間部
３３  入水孔
３５ａ，３５ｂ  出水孔
４０  出水開口部
１００  飲料水供給装置
１０１  飲料水タンク
１０２  飲料水
１０３  出水口
５０，１０５  水路
１０７  電磁弁
１１１  ソレノイドコイル
１１３  開閉弁
１１５  スプリング
【図１】
2019131296.tif 000003
【図２】
2019131296.tif 000004
【図３】
2019131296.tif 000005
【図４】
2019131296.tif 000006
【図５】
2019131296.tif 000007
【図６】
2019131296.tif 000008
【図７】
2019131296.tif 000009
【図８】
2019131296.tif 000010
【図９】
2019131296.tif 000011
【図１０】
2019131296.tif 000012
【図１１】
2019131296.tif 000013